(57)【要約】【解決手段】供給側の機器と、需要側の機器と、前記供給側の機器と需要側の機器と間を回路構成する線路とからなる電気回路と、少なくとも前記電気回路の回路情報が蓄積可能なＩＣメモリ−７と、該ＩＣメモリ−と無線通信するための通信手段とを有し、前記通信手段を介して、前記ＩＣメモリ−のデータの読み出し／書き込みが可能な線路情報管理システムに関するものである。【効果】線路、構成部品にＩＣメモリ−を取り付けて部品情報や線路情報を必要なときに、読み出し／書き換えができ、線路作業の迅速化や情報の共通化が図られるとともに、対象線路の抽出や線出が容易に且つ迅速にでき、更には、対象線路の抽出や線出の誤認を防止することができる。【選択図】図１
2004023241.tif 000002
【特許請求の範囲】
【請求項１】
供給側の機器と、需要側の機器と、前記供給側の機器と需要側の機器と間を回路構成する線路とからなる電気回路と、少なくとも前記電気回路の回路情報が蓄積可能なＩＣメモリ−と、該ＩＣメモリ−と無線通信するための通信手段とを有し、前記通信手段を介して、前記ＩＣメモリ−のデータの読み出し／書き込みが可能であることを特徴とする線路情報管理システム。
【請求項２】
供給側の機器と、需要側の機器と、前記供給側の機器と需要側の機器と間を回路構成する線路とからなる電気回路と、少なくとも前記電気回路の回路情報が蓄積可能なＩＣメモリ−と、該ＩＣメモリ−と無線通信するための通信手段を有する無線通信ＩＣと、前記無線通信ＩＣのＩＣメモリ−のデータの読み出し／書き込みをするリーダ−ライタ−を介して、前記無線通信ＩＣの発信情報を情報処理する集中管理装置とを有することを特徴とする線路情報管理システム。
【請求項３】
供給側の機器と、需要側の器機と、前記供給側の機器と需要側の機器と間を回路構成する線路とからなる電気回路と、少なくとも前記電気回路の回路情報が蓄積可能なＩＣメモリ−と、該ＩＣメモリ−と無線通信するための通信手段とを有し、前記ＩＣメモリ−のデータの読み出し／書き込みをするリーダ−ライタ−を介して、前記無線通信ＩＣの発信情報を情報処理する集中管理装置同士を接続してなることを特徴とする線路情報管理システム。
【請求項４】
上記電気回路の供給側の機器及び需要側の機器は、通信機器からなることを特徴とする請求項１〜請求項３のいずれか１項に記載の線路情報管理システム。
【請求項５】
上記電気回路の供給側の機器及び需要側の機器は、電力機器からなることを特徴とする請求項１〜請求項３のいずれか１項に記載の線路情報管理システム。
【請求項６】
上記電気回路の線路が、メタル線路、光ファイバ−線路及び無線線路の１個又は複数個の組合からなることを特徴とする請求項１〜請求項５のいずれか１項に記載の線路情報管理システム。
【請求項７】
上記通信手段を有する無線通信ＩＣが、アンテナを有する無線通信ＩＣであって、前記アンテナを、無線通信ＩＣの各々に設置するか、又は、複数個を組として設置するか、更には、前記無線通信ＩＣと一体に設置するか、若しくは、前記無線通信ＩＣから離間位置に設置してなることを特徴とする請求項１〜請求項６記載のいずれか１項に記載の線路情報管理システム。
【請求項８】
上記ＩＣメモリ−が、上記電気回路を回路構成する構成部品毎に設置されていることを特徴とする請求項１〜請求項６記載のいずれか１項に記載の線路情報管理システム。
【請求項９】
上記電気回路を回路構成する構成部品が、接続端子盤、コネクタ−、開閉器、保安器及び光分配器等からなることを特徴とする請求項１〜請求項６記載のいずれか１項に記載の線路情報管理システム。
【発明の詳細な説明】
【０００１】
【発明の属する技術分野】
本発明は、通信線路や電力線路等の線路情報を運用管理するための線路情報管理システムに関するものである。
【０００２】
【従来の技術】
従来、一例として、需要側である電話器等の通信機器と接続された線路は、供給側の交換機等に接続されており、需要側の通信機器から発信された信号は、通信線路を介して供給側の交換機に接続されて、該交換機を介して需要側の通信機器に接続されて所定の電気回路を構成しているが、需要側の通信機器の電話番号は、広い地域に分散されていることが、ほとんどであるために、１地域の通信線路単位で交換機等に接続することはできない。
【０００３】
そこで、交換機に接続するに際して、交換機の前段に端子盤を配設して、該端子盤に地域の通信線路単位で導入された通信線路を所定の順序で端子盤の一方の端子に接続し、次に、通信線路が接続された端子盤の他方の端子から、所定の交換機の運用に適した順序にて接続している。
【０００４】
このために、交換機の前段に端子盤等を配設した中間配線盤や本配線盤が配設されている。即ち、配線盤は、通信線路に対応した回線数の端子盤を縦横に配置し、このように配設された端子盤の一方の端子側に需要側からの通信線路を電話番号順に関係なく、ケーブル等の通信線路毎に接続し、次に、上記端子盤の他方の端子側より、上記一方の端子側に接続された通信線路の接続順序に関わらず、交換機の運用に適した端子を選出して交換機に接続する。このように配設された配線盤には、何百、何千、何万の通信線路を収容し接続する端子盤等が配設されている。
【０００５】
そのために、従来、端子盤等に番号符号等を付与し、別に管理表を用いて番号に対応して接続先等を記して回線を管理していた。更に、端子盤に接続され収容された通信線路は、多線路となるために、端子盤の配列毎に所定に束ねて、この束線路にも、線路符号を印刷したテープを取り付けたり、また、線路符号を付与した札表をバンド等で取り付けて管理していた。
【０００６】
【発明が解決しようとする課題】
上述した従来の通信線路の線路の管理にあっては、中間配線盤や本配線盤等に収容される通信線路の線路数は、何千、何万との多線路となり、配線作業等において、需要側の通信線路と接続の端子盤及び端子盤と供給側の交換機との接続関係を管理表にて確認作業をする。その後、端子盤に付与した番号や、通信線路に取り付けられた札表や印刷テープ等を抽出し作業対象線路を確認して作業を開始するものであるが、多線路のために、バンドや紐に取り付けられた札表が相互に絡み合ったり、通信線路に絡み合ったりし、また、印刷テープは、通信線路に隠れて対象線路の抽出が困難であり、多大な時間を費やすとともに誤配線の原因ともなり、大きな問題となっている。
【０００７】
また、作業終了後に、通信線路の変更等を、作業に従い管理表を書き直して更新しておくことになるが、更新毎に新しい作業日、変更行き先名等を記録するが、管理表の修正履歴が多くなると、管理表が煩雑になり、後になって、履歴の判読が困難になったり、記録するスペースがなくなるという問題があった。
【０００８】
本発明の目的は、上述した従来の線路情報管理システムが有する課題を解決して、作業能率の向上を図るとともに、自己の電気回路の情報の高度な保有と管理の利便化を図り、且つ、遠方にて、一括して集中管理が可能な線路情報管理システムを提供することにある。
【０００９】
【課題を解決するための手段】
上述した目的を達成するために、本発明は、線路情報管理システムにおいて、第１には、供給側の機器と、需要側の機器と、前記供給側の機器と需要側の機器と間を回路構成する線路とからなる電気回路と、少なくとも前記電気回路の回路情報が蓄積可能なＩＣメモリ−と、該ＩＣメモリ−と無線通信するための通信手段とを有し、前記通信手段を介して、前記ＩＣメモリ−のデータの読み出し／書き込みを可能としたものであり、第２には、供給側の機器と、需要側の機器と、前記供給側の機器と需要側の機器と間を回路構成する線路とからなる電気回路と、少なくとも前記電気回路の回路情報が蓄積可能なＩＣメモリ−と、該ＩＣメモリ−と無線通信するための通信手段を有する無線通信ＩＣと、前記無線通信ＩＣのＩＣメモリ−のデータの読み出し／書き込みをするリーダ−ライタ−を介して、前記無線通信ＩＣの発信情報を情報処理する集中管理装置とを配設したものであり、第３には、供給側の機器と、需要側の器機と、前記供給側の機器と需要側の機器と間を回路構成する線路とからなる電気回路と、少なくとも前記電気回路の回路情報が蓄積可能なＩＣメモリ−と、該ＩＣメモリ−と無線通信するための通信手段とを有し、前記ＩＣメモリ−のデータの読み出し／書き込みをするリーダ−ライタ−を介して、前記無線通信ＩＣの発信情報を情報処理する集中管理装置同士を接続したものであり、第４には、上記電気回路の供給側の機器及び需要側の機器が、通信機器からなるものであり、第５には、上記電気回路の供給側の機器及び需要側の機器が、電力機器からなるものであり、第６には、上記電気回路の線路が、メタル線路、光ファイバ−線路及び無線線路の１個又は複数個の組合からなるものであり、第７には、上記通信手段を有する無線通信ＩＣが、アンテナを有する無線通信ＩＣであって、前記アンテナが、無線通信ＩＣの各々に設置されているか、又は、複数個を組として設置されているか、更には、前記無線通信ＩＣと一体に設置されているか、若しくは、前記無線通信ＩＣから離間位置に設置されているものであり、第８には、上記ＩＣメモリ−が、上記電気回路を回路構成する構成部品毎に設置されているものであり、第９には、上記電気回路を回路構成する構成部品が、接続端子盤、コネクタ−、開閉器、保安器及び光分配器等からなるものである。
【００１０】
【実施例】
以下、本発明の実施例について説明をするが、本発明の趣旨を越えない限り何ら、本実施例に限定されるものではない。
【００１１】
１は、供給側に設置された中間配線盤であり、中間配線盤１には、需要側の通信機器等２が接続された通信線路であるケーブル３が導入され、また一方、中間配線盤１には、供給側の交換機等４と接続された通信線路であるケーブル５が導入されている。ケーブル３の外被が剥離されたケーブル心線３１は、中間配線盤１の導入口１ａから中間配線盤１に導入され、その後、ケーブル心線３１は、中間配線盤１に配設された端子盤６の一端６１側の端子６３に、所定の順番にて接続されている。また、端子盤６の他端６２側の端子６４には、端子６４の配列順序に関係なく、交換機４に適した順序にて、ケーブル５の外被が剥離され、且つ、中間配線盤１の導入口１ａから中間配線盤１に導入されたケーブル心線５１が接続されてている。このようにして、供給側と需要側との電気回路が構成されている。
【００１２】
７は、データの蓄積可能な無線通信するための通信手段、即ち、アンテナを有するＩＣメモリ−であって、アンテナ（図せず）は、ＩＣメモリ−７と一体に配置されているが、必ずしも、ＩＣメモリ−７とアンテナは一体に配置する必要はなく、距離を開けて設置してもよい。ＩＣメモリ−７は、端子盤６の線路毎に取り付けられていて、自己の線路の必要な情報を読み出したり、或いは、必要に応じて、新たな情報の書き込みが可能なものである。なお、アンテナ付きＩＣメモリ−７には、目視可能なＬＥＤが配設されていることが好ましい。
【００１３】
８は、ＩＣメモリ−７と無線通信するための外部アンテナであり、外部アンテナ８は、ＩＣメモリ−７の複数個に対して１個の割合で設置されてあり、外部アンテナ８を、アンテナ用ケーブル９及びリーダ−ライタ−１０を介して、コンピューター等の管理装置１１に接続されている。１２は、携帯型リーダ−ライタ−（アンテナ内蔵）である。
【００１４】
管理装置１１は、ＩＣメモリ−７への読み出し／書き込みを、遠方操作にて行うことができるものであり、管理装置１１の遠方操作ににより、ＩＤ番号、線路名、線路情報及びキーワード等の初期入力の書き込みや、情報変更の書き込みや、線路の探索を実行するためのＩＤ番号、回線名、キーワード及びＬＥＤの点灯等の指示操作を行うことができるものである。なお、管理装置１１には、センサ付きＩＣメモリ−、例えば、温度センサ−、電流センサ−及び位置センサ−等を付加してもよい。
【００１５】
携帯式リーダ−ライタ−１２は、ＩＣメモリ−７の読み出し／書き込みができ、ＩＤ番号、線路名、キーワード等を入力して、検索回線のＬＥＤを点灯させることが可能であり、現場において特に利便性がある。
【００１６】
図２及び図３には、中間配線盤１に配設された端子盤６の複数の例が示されている。図２（Ａ）に示されている実施例は、端子盤６に、アンテナ付きＩＣメモリ−７を配設したものであり、また、図２（Ｂ）に示されている実施例は、端子盤６の端子６３及び端子６４のそれぞれに、ＩＣメモリ−７を配設したものであり、更に、図３（Ａ）に示されている実施例は、端子盤６の端子６３に接続したケーブル心線３１に、ＩＣメモリ−７を配設したものであり、更にまた、図３（Ｂ）に示されている実施例は、端子盤６の端子６３及び端子６４のそれぞれに接続したケーブル心線３１及びケーブル心線５１に、それぞれ、ＩＣメモリ−７を配設したものである。
【００１７】
図４に示されている実施例は、図１の携帯型リーダ−ライタ−１２に代えて、タッチパネル型リーダ−ライタ−１３を、アンテナ用ケーブル９を介して、外部アンテナ８に接続したものである。タッチパネル型リーダ−ライタ−１３も、機能は、携帯型リーダ−ライタ−１２と同様に読み出し／書き込みができるが、タッチパネル型リーダ−ライタ−１３の場合には、操作等の自由度や判読性等がより向上することになる。
【００１８】
図５に示されている実施例は、図１に示されている実施例の複数のケーブル心線３１、５１からなるメタルケーブル３、５に代えて、複数の光心線１４ａからなる光ファイバ−ケーブル１４を用いたものであり、光ファイバ−ケーブル１４を使用したことにより、メタル用の端子盤６に代えて、光プラグ１６を用いた光端子盤１５が使用されている。なお、１７は、光プラグ１６の光アダプタ−である。
【００１９】
そして、図６及び図７には、アンテナ付きＩＣメモリ−７を、光端子盤１５に配設した数例が示されている。図６（Ａ）に示されている実施例は、光端子盤１５の本体１５ａに、それぞれの線路毎に、ＩＣメモリ−７を配設したものであり、また、図６（Ｂ）に示されている実施例は、光端子盤１５の本体１５ａの一方の側に配設された光プラグ１６の光アダプタ−１７に、ＩＣメモリ−７を配設したものであり、更に、図６（Ｃ）に示されている実施例は、光端子盤１５の本体１５ａの両側に配設された光プラグ１６の需要側及び交換機側の光アダプタ−１７のそれぞれに、ＩＣメモリ−７を配設したものである。更にまた、図７（Ａ）に示されている実施例は、光端子盤１５の本体１５ａの一方の側に配設された光プラグ１６に、ＩＣメモリ−７を配設したものであり、また、図７（Ｂ）に示されている実施例は、光端子盤１５の本体１５ａの両側に配設された需要側及び交換機側の光アダプタ−１７に、それぞれ、ＩＣメモリ−７を配設したものである。
【００２０】
図８には、一設置局に配設された複数個の本配線盤や中間配線盤１を集中管理する集中管理装置２２が示されており、この実施例においては、ＩＣメモリ−７と無線通信するための外部アンテナ８が、アンテナ用ケーブル９を介して、リーダ−ライタ−１０とネットワークボード２０に接続されており、また、リーダ−ライタ−１０とネットワークボード２０が、ハブ装置２１及び集中管理装置２２に、通信線路（ＬＡＮ）２３を介して接続されており、更に、図示されていないが、他の中間配線盤１も、同様の構成にて、通信線路（ＬＡＮ）２３を介して集中管理装置２２に接続されている。なお、２４は、ルータ−装置である。このような集中管理装置２２によって、複数個の本配線盤や中間配線盤１等を管理することができ、通信線路の遠方監視や読み出し／書き込みを、確実且つ迅速に実施することができる。
【００２１】
図９に示されている実施例は、集中管理装置２２をネットワーク網で結んだものであり、この実施例においては、一般需要側通信機器Ａは、接続箱Ｄを介して中継局Ｃに、また、多数の通信設備を有する局舎Ｂ等は、局舎Ｂ内の本配線盤等を介して中継局Ｃに接続されており、通信線路（ネットワーク網）２５にて、ネットワーク網が構成されている。そして、局舎Ｂの一局をコントロールセンターとして機能させて、各所に配設されたＩＣメモリ−７の読み出し／書き込みを、通信線路（ネットワーク網）２５を介して行うことができるので、従って、集中管理に伴う遠方監視及び迅速な処理が可能となる。
【００２２】
上述したように、ＩＣメモリ−７は、アンテナ付きＩＣメモリ−で、且つ、ＬＥＤ（表示灯）が配設されていることが好ましいが、必ずしも、このようなＩＣメモリ−７に限定されるものではなく、ＩＣメモリ−７から離間した位置にアンテナを設置したものでもよく、また、ＬＥＤ（表示灯）も必ずしも必要ではないが、上述したように、ＩＣメモリ−７等を配設することにより、多数の通信線路が配線されている場合に、作業時における線路の抽出、線出の位置の特定を、容易に且つ迅速に行うことが可能となる。
【００２３】
また、ＩＣメモリ−７として、無線通信ＩＣとアンテナからなる無線タグ（ＲＦＩＤタグともいう。）を用いるのも好ましい。無線タグ自体は、簡単な処理しかできないので、ネットワーク上の集中管理装置２２等が、無線タグが発した情報の多くを実行処理することになる。
【００２４】
更に、読み込み情報の入力としては、ＩＰアドレス若しくは名称、ＩＤＦ番号、ＲＦＩＤ番号及び線路情報、例えば、各センサ−からの情報、作業情報、履歴情報等である。
【００２５】
本実施例には、中間配線盤や本配線盤の端子盤や線路に、ＩＣセンサ−を配設した例が示されているが、線路及び線路に配設した機器、図示されていないが、例えば、電流制限器やアレスタ等に配設してもよく、また、線路としてメタル線を用いたが、メタル線に代えて光ファイバ−線を用いてもよく、更には、無線通信を用いてもよい。更にまた、通信線路に限ることなく、電力線路を用いてもよい。
【００２６】
【発明の効果】
本発明は、上述した構成により、以下に記載するような効果を奏することができる。
【００２７】
線路、構成部品にＩＣメモリ−を取り付けて部品情報や線路情報を必要なときに、読み出し／書き込みができ、線路作業の迅速化や情報の共通化が図られるとともに、対象線路の抽出や線出が容易に且つ迅速にでき、更には、対象線路の抽出や線出の誤認を防止することができる。
【００２８】
また、線路の構成部品毎及び線路毎とに、遠方監視ができるとともに、線路の保守管理の管理精度や管理品質の向上を図ることができる。
【図面の簡単な説明】
【図１】図１は本発明の線路情報管理システムの構成図である。
【図２】図２は本発明の線路情報管理システムにおけるＩＣメモリ−の配設例を示す構成図である。
【図３】図３は同じく本発明の線路情報管理システムにおけるＩＣメモリ−の配設例を示す構成図である。
【図４】図４は本発明の線路情報管理システムの別の実施例の構成図である。
【図５】図５は本発明の線路情報管理システムの更に別の実施例の構成図である。
【図６】図６本発明の線路情報管理システムにおけるＩＣメモリ−の配設例を示す構成図である。
【図７】図７は同じく本発明の線路情報管理システムにおけるＩＣメモリ−の配設例を示す構成図である。
【図８】図８は本発明の線路情報管理システムのなお更に別の実施例の構成図である。
【図９】図９は本発明の線路情報管理システムをネットワーク網に構成した全体構成図である。
【符号の説明】
Ａ・・・・・・・・一般需要側通信機器
Ｂ・・・・・・・・局舎
Ｃ・・・・・・・・中継局
１・・・・・・・・本配線盤
２・・・・・・・・通信機器
３、５・・・・・・ケーブル
４・・・・・・・・交換機
６・・・・・・・・端子盤
７・・・・・・・・ＩＣメモリ−
８・・・・・・・・外部アンテナ
９・・・・・・・・アンテナ用ケーブル
１０・・・・・・・リーダ−ライタ−
１１・・・・・・・管理装置
１２・・・・・・・携帯型リーダーライタ−
１３・・・・・・・タッチパネル型リーダ−ライタ−
１４・・・・・・・光ファイバ−ケーブル
１５・・・・・・・光端子盤
１６・・・・・・・光コネクタ−
１７・・・・・・・光コネクタ−の光アダプタ−
１８・・・・・・・光コネクタ−の光プラグ
１９・・・・・・・光端子盤
２０・・・・・・・ネットワークボード
２１・・・・・・・ハブ装置
２２・・・・・・・集中管理装置
２３・・・・・・・通信線路（ＬＡＮ）
２４・・・・・・・ルータ−
２５・・・・・・・通信線路（ネットワーク網）
【図１】
2004023241.tif 000003
【図２】
2004023241.tif 000004
【図３】
2004023241.tif 000005
【図４】
2004023241.tif 000006
【図５】
2004023241.tif 000007
【図６】
2004023241.tif 000008
【図７】
2004023241.tif 000009
【図８】
2004023241.tif 000010
【図９】
2004023241.tif 000011